(57)【要約】      （修正有）【課題】沸点範囲に対する選択性のより広く、迅速、効果的で富化作用を有するサンプルの採集・導入装置を提供する。【解決手段】サンプルの採集・導入装置及び検査機器を開示している。サンプルの採集・導入装置は、円筒形外方カバー１と、気流が入って竜巻を形成するように、前記円筒形外方カバーとの間でサイクロン腔３を形成し、円筒形外方カバー内に置かれる内方カバー２とを備える。サンプルの採集・導入装置は、外腔体７と、前記内方カバーの第１の内方カバー端開口内に設けられる複数の気体噴射口３６とをさらに含み、前記複数の気体噴射口は、円筒形外方カバーの第１の外方カバー端開口の端面で限定された円形領域のほぼ中心に向かって気体を噴射するように配置される。【選択図】図１
2018109629.tif 000002
【特許請求の範囲】
【請求項１】
第１の外方カバー端開口を含む円筒形外方カバーと、
第１の内方カバー端開口を含み、気流が入って竜巻を形成するように、前記円筒形外方カバーとの間でサイクロン腔を形成し、前記円筒形外方カバー内に置かれる内方カバーとを備えるサンプルの採集・導入装置であって、
前記内方カバーを一端の部分とする外腔体と、前記内方カバーの前記第１の内方カバー端開口内に設けられる複数の気体噴射口とをさらに含み、前記複数の気体噴射口は、前記円筒形外方カバーの前記第１の外方カバー端開口の端面で限定された円形領域のほぼ中心に向かって気体を噴射するように配置されるサンプルの採集・導入装置。
【請求項２】
前記外腔体は、前記外腔体の内部空間で構成される導気腔と前記内方カバーの中心に位置するサンプル吸引口とをさらに含み、前記サンプル吸引口は、竜巻サイクロン中心によりサンプルの採集・導入装置に抽出される気体サンプルを前記導気腔に導入するように配置される、請求項１に記載のサンプルの採集・導入装置。
【請求項３】
前記外腔体は、前記導気腔周囲の前記外腔体の側壁内に設けられる充気腔と、前記充気腔に連なる複数の渦巻管とをさらに含み、前記サイクロン腔内に気流を入らせて竜巻を形成するように、前記渦巻管は、前記充気腔中の気体を前記サイクロン腔に噴射する、請求項２に記載のサンプルの採集・導入装置。
【請求項４】
前記複数の気体噴射口は前記充気腔に連通し、前記複数の気体噴射口から排出される気体流量が、前記複数の渦巻管から排出される気体流量よりも少ない、請求項３に記載のサンプルの採集・導入装置。
【請求項５】
前記導気腔内には、内方導気腔を限定する内方導気筒が設けられ、前記サンプル吸引口により導入される気体は前記内方導気腔の底部付近に入ってから、内方導気腔開口を介して前記内方導気腔から流れ出す、請求項４に記載のサンプルの採集・導入装置。
【請求項６】
前記内方導気筒は温度を上げられるように配置され、前記内方導気筒内に入った気体の温度を上げる、請求項５に記載のサンプルの採集・導入装置。
【請求項７】
前記内方導気筒の外壁と前記導気腔の内壁とは外方導気腔を限定し、前記外方導気腔には、ろ過網で限定された熱解析室が設けられ、前記熱解析室は前記熱解析室内に設けられる半透過膜によりサンプルを抽出する、請求項５または６に記載のサンプルの採集・導入装置。
【請求項８】
前記充気腔の側壁下端には排気管が設けられ、前記外方導気腔内の気体は前記排気管を介して排出されるとともに、ポンプにより前記充気腔に改めて送られてサイクルする、請求項７に記載のサンプルの採集・導入装置。
【請求項９】
前記半透過膜は解析空間を限定し、前記外方導気腔内のサンプルが前記半透過膜を通して前記解析空間内に入ることができ、かつ、サンプルの採集・導入装置は、サンプルキャリアガス管とサンプル出口とをさらに含み、前記サンプルキャリアガス管によりキャリアガスを導入して解析後のサンプルと混合させ、前記サンプル出口から導出し、
前記半透過膜は、サンプルの混合される気体が前記半透過膜に接触するように、支持網に支持されて筒形多層半透過膜の構造又は多層半透過膜のゲート構造を形成するように配置される、請求項７または８に記載のサンプルの採集・導入装置。
【請求項１０】
前記外腔体の側壁の前記第１の内方カバー端開口に近い円周に複数の渦巻管が均一的に設けられ、前記渦巻管の軸線は前記外腔体の側壁に接し、渦巻管軸線と縦方向とのなす角は４５°〜９０°にある、請求項３〜９のいずれか１項に記載のサンプルの採集・導入装置。
【請求項１１】
前記円筒形外方カバーには、前記円筒形外方カバーの側壁下部にあり、前記渦巻管に対して前記第１の外方カバー端開口の相対側にある少なくとも１つの吸気孔が設けられ、前記サイクロン腔内に形成された竜巻の作用によって、前記少なくとも１つの吸気孔を介して気体を吸気する、請求項３〜１０のいずれか１項に記載のサンプルの採集・導入装置。
【請求項１２】
外方カバーはホーン形状を有する、請求項１〜１１のいずれか１項に記載のサンプルの採集・導入装置。
【請求項１３】
前記外腔体は保温層で囲まれ、前記外腔体内には、前記外腔体を所望の温度に制御するようにヒータが設けられる、請求項１〜１２のいずれか１項に記載のサンプルの採集・導入装置。
【請求項１４】
請求項１〜１３のいずれか１項に記載のサンプルの採集・導入装置を含む検査機器。
【発明の詳細な説明】
【技術分野】
【０００１】
本発明は検査システムに関し、具体的にはサンプルの採集・導入装置に関する。
【背景技術】
【０００２】
テロ活動及び麻薬密輸を防止するために、現在、爆発物や麻薬を検出する多種の技術が発展している。検出に合わせるために、痕跡量物質に対する効率的で迅速なサンプル採集装置が求められている。物質の沸点範囲に対する選択性のより広く、効率的なサンプル採集装置が期待されている。
【発明の概要】
【発明が解決しようとする課題】
【０００３】
本発明は、第１の外方カバー端開口を含む円筒形外方カバーと、第１の内方カバー端開口を含み、気流が入って竜巻を形成するように、前記円筒形外方カバーとの間でサイクロン腔を形成し、前記円筒形外方カバー内に置かれる内方カバーとを備えるサンプルの採集・導入装置であって、前記内方カバーを一端の部分とする外腔体と、前記内方カバーの前記第１の内方カバー端開口内に設けられる複数の気体噴射口とをさらに含み、前記複数の気体噴射口は、前記円筒形外方カバーの前記第１の外方カバー端開口の端面で限定された円形領域のほぼ中心に向かって気体を噴射するように配置されるサンプルの採集・導入装置を提供することを目的とする。
【課題を解決するための手段】
【０００４】
１実施例において、前記外腔体は、前記外腔体の内部空間で構成される導気腔と前記内方カバーの中心に位置するサンプル吸引口とをさらに含み、前記サンプル吸引口は、竜巻サイクロン中心によりサンプルの採集・導入装置に吸引される気体サンプルを前記導気腔に導入するように配置される。
【０００５】
１実施例において、前記外腔体は、前記導気腔周囲の前記外腔体の側壁内に設けられる充気腔と、前記充気腔に連なる複数の渦巻管とをさらに含み、前記サイクロン腔内に気流を入らせて竜巻を形成するように、前記渦巻管は、前記充気腔中の気体を前記サイクロン腔に噴射する。
【０００６】
１実施例において、前記複数の気体噴射口は前記充気腔に連通し、前記複数の気体噴射口から排出される気体流量が、前記複数の渦巻管から排出される気体流量よりも少ない。
【０００７】
１実施例において、前記導気腔内には、内方導気腔を限定する内方導気筒が設けられ、前記サンプル吸引口により導入される気体は前記内方導気腔の底部付近に入ってから、内方導気腔開口を介して前記内方導気腔から流れ出す。
【０００８】
１実施例において、前記内方導気筒は温度を上げられるように配置され、前記内方導気筒内に入った気体の温度を上げる。
【０００９】
１実施例において、前記内方導気筒の外壁と前記導気腔の内壁とは外方導気腔を限定し、前記外方導気腔には、ろ過網で限定された熱解析室が設けられ、前記熱解析室は前記熱解析室内に設けられる半透過膜によりサンプルを抽出する。
【００１０】
１実施例において、前記半透過膜は解析空間を限定し、前記外方導気腔内のサンプルが前記半透過膜を通して前記解析空間内に入ることができ、かつ、サンプルの採集・導入装置は、サンプルキャリアガス管とサンプル出口とをさらに含み、前記サンプルキャリアガス管によりキャリアガスを導入して解析後のサンプルと混合させ、前記サンプル出口から導出し、前記半透過膜は、サンプルの混合される気体が前記半透過膜に接触するように、支持網に支持されて筒形多層半透過膜の構造又は多層半透過膜のゲート構造を形成するように配置される。
【００１１】
１実施例において、外方カバーはホーン形状を有する。
【００１２】
１実施例において、前記外腔体の側壁の前記第１の内方カバー端開口に近い円周に複数の渦巻管が均一的に設けられ、前記渦巻管の軸線は前記外腔体の側壁に接し、渦巻管軸線と縦方向とのなす角は４５°〜９０°にある。
【００１３】
１実施例において、前記円筒形外方カバーには、前記円筒形外方カバーの側壁下部にあり、前記渦巻管に対して前記第１の外方カバー端開口の相対側にある少なくとも１つの吸気孔が設けられ、前記サイクロン腔内に形成された竜巻の作用によって、前記少なくとも１つの吸気孔を介して気体を吸気する。
【００１４】
１実施例において、前記充気腔の側壁下端には排気管が設けられ、前記外方導気腔内の気体は前記排気管を介して排出されるとともに、ポンプにより前記充気腔に改めて送られてサイクルする。
【００１５】
１実施例において、前記外腔体は保温層で囲まれ、前記外腔体内には、前記外腔体を所望の温度に制御するようにヒータが設けられる。
【００１６】
本発明の別の態様は、前記サンプルの採集・導入装置を含む検査機器を提供する。
【図面の簡単な説明】
【００１７】
【図１】本発明の１実施例によるサンプルの採集・導入装置の断面模式図である。
【図２】本発明の１実施例による渦巻管が複数設けられる外腔体上端の円周断面模式図である。
【発明を実施するための形態】
【００１８】
本発明に対して様々な変更や置き換えを行うことができるが、その具体的な実施例を例示の形で図面に示し、かつ明細書で詳細に説明する。しかしながら、理解できるように、添付された図面及び詳細な説明は本発明を開示の具体的な形態に限定するためのものではなく、逆に、添付された請求の範囲で限定された本発明の精神及び範囲に入るあらゆる変更、同等形式、置き換え方式は保護の範囲に含まれるものである。図面は模式的なものであるため、実際の寸法に比例して描画されたものではない。
【００１９】
以下、図面を参照しながら本発明による複数の実施例を説明する。
【００２０】
本発明の１実施例は、図１に示す外方カバー１の上部開口のような第１の外方カバー端開口を含む円筒形外方カバー１と、図１に示すように、第１の内方カバー端開口を含み、円筒形外方カバー１内に置かれる内方カバー２とを備えるサンプルの採集・導入装置を提供する。図１に示す第１の外方カバー端開口は第１の内方カバー端開口よりも高い。しかしながら、第１の外方カバー端開口は第１の内方カバー端開口と面一やほぼ同じ高さにあってもよい。なお、「上」、「下」、「高さ」などは図１の方位に対して説明のために使用されるものであり、明らかに、図１の装置は横向きに配置されても、開口が下に向かって配置されてもよい。また、図１において、外方カバー１はホーン形状を有するが、外方カバー１は円筒形形状を有してもよい。
【００２１】
気流が入って竜巻を形成するように、前記円筒形外方カバー１と内方カバー２との間にはサイクロン腔３が形成されている。サンプルの採集・導入装置は、前記内方カバー２を一端の部分とする外腔体７と、前記内方カバー２の第１の内方カバー端開口内に設けられる複数の気体噴射口３６とをさらに含み、前記複数の気体噴射口３６は、円筒形外方カバー１の第１の外方カバー端開口の端面で限定された円形領域のほぼ中心に向かって気体を噴射するように配置される。
【００２２】
本実施例において、図１に示すように、外方カバー１には、外方カバー１の側壁下部にあり、渦巻管２６に対して第１の外方カバー端開口の相対側にある少なくとも１つの吸気孔３２が設けられ、サイクロン腔３内に形成された竜巻の作用によって、前記少なくとも１つの吸気孔３２を介して気体を吸引する。サイクロン腔３内で竜巻サイクロンを形成し、サイクロンが吸引効果を有するため、図１に示す吸気孔３２を設けることにより、外部気体は竜巻サイクロンに吸引され、竜巻サイクロンの形成及び拡大に有利である。吸気孔３２の個数はサイクロン腔の寸法に応じて確定されることができ、例えば６個、８個、又は１０個以上であってもよく、それらは外方カバー１の側壁下部に離散的に分布されるが、好ましくは、複数の吸気孔３２は同じ間隔で外方カバー１の側壁下部に分布されている。
【００２３】
本実施例による竜巻発生部分が生じる竜巻サイクロン負圧中心はサンプルに対して強い吸引力を有するため、顆粒サンプルを効果的に吸収することができる。
【００２４】
１実施例において、外腔体７は、外腔体７の内部空間で構成される導気腔と内方カバー２の中心にあるサンプル吸引口４とをさらに含む。あるいは、外腔体７はその内部にある導気腔を限定する。前記サンプル吸引口４は、竜巻気流によりサンプルの採集・導入装置に吸引される気体サンプルを導気腔に導入するように配置される。サンプルの採集・導入装置はサンプルに面するとき、竜巻サイクロンが形成された後、竜巻中心で反対方向の吸引効果が生じ、図１において、竜巻気流の中心で下向きの気流が生じるため、サンプルは下向きの気流によって導気腔に吸入される。本実施例において、複数の気体噴射口３６を設置してサンプルの竜巻中心の位置付近に向かって気流を噴射することで、被検物品のサンプルを被検物品から吹き離し、そして下向きの気流に従って導気腔に吸入することができる。複数の気体噴射口３６の設置は気流の被検物品に対する衝突力を高め、高沸点の顆粒物質に衝突してサンプル採集の効率を向上でき、本実施例によるサンプルの採集・導入装置の採集できるサンプルの範囲を広くする。なお、気体噴射口３６の個数は外腔体７の寸法に応じて確定されることができ、例えば４個、５個、６個、７個、８個、又は１０個以上であってもよく、それらは外腔体７の上部に離散的に分布されるが、好ましくは、複数の気体噴射口３６は同じ間隔で外腔体７の上部に分布されている。
【００２５】
本発明の実施例によると、外腔体７は、導気腔周囲の前記外腔体７の側壁内に設けられる充気腔８と、充気腔８に連なる複数の渦巻管２６とをさらに含み、サイクロン腔３内に気流を入らせて竜巻を形成するように、前記渦巻管２６は充気腔８中の気体を前記サイクロン腔３内に噴射する。本実施例によると、複数の渦巻管２６は前記外腔体７の側壁の第１の内方カバー端開口に近い円周に均一的に設けられ、前記渦巻管２６の軸線は外腔体７の側壁に接し、渦巻管２６の軸線と縦方向とのなす角は４５°〜９０°にある。渦巻管２６の設置方式のため、渦巻管２６から噴射される気体はサイクロン腔３内で竜巻を形成する。渦巻管２６の個数は外腔体７の寸法に応じて確定されることができ、例えば４個、５個、６個、７個、８個、１０個以上であってもよく、それらは外腔体７の上部に離散的に分布されるが、好ましくは、複数の渦巻管２６は同じ間隔で外腔体７の上部に分布されている。
【００２６】
本実施例において、複数の気体噴射口３６は前記充気腔８に連通する。しかしながら、前記複数の気体噴射口３６から排出される気体流量は複数の渦巻管２６から排出される気体流量よりも少ない。これは、気体噴射口３６と渦巻管２６の開口寸法を設置することで実現できることである。例えば、渦巻管２６の開口寸法は気体噴射口３６の寸法の５倍〜１０倍である。なお、他の設置寸法であってもよい。
【００２７】
本実施例において、前記導気腔には内方導気腔６を限定する内方導気筒５が設けられ、サンプル吸引口４により導入され採集したサンプルの混合される気体は、前記内方導気腔６の底部付近に入り、そして内方導気腔開口を介して内方導気腔から流れ出す。図１に示すように、サンプル吸引口４は、採集したサンプルの混合される気体を内方導気筒５の底部に導入し、このように気体が内方導気筒５内で留まる時間は最も長く、内方導気筒５が気体を加熱し、採集したサンプルの解析分散される距離を長くして、単分子に充分に分散することに有利である。ここで、内方導気筒５には、内方導気筒５が所定温度に上げられるようにヒータを設置してもよい。気体は内方導気筒５内で分子に分散されてからサンプル導入器にスムーズに入ることができる。内方導気腔６の設計は、採集したサンプルの受熱分散の長さを長くし、顆粒及びクラスターサンプルを単分子に効果的に分散し、高沸点に対する検出限界を低下させるだけでなく、解析度を向上させることもできる。
【００２８】
本実施例において、内方導気筒５の外壁と導気腔の内壁とは外方導気腔９を限定し、前記外方導気腔９内にはろ過網で限定された熱解析室１７が設けられ、前記熱解析室１７は熱解析室１７内に設けられる半透過膜１５によってサンプルを抽出する。図１に示すように、外腔体７内の空間内において、内方導気筒５は上部にあり、内方導気筒５の外部には外方導気腔９があり、気体は内方導気筒５内から流れ出し、下に向かって外方導気腔９底部に配置される排気管２７に流れる。図１において、熱解析室１７は内方導気筒５の下部にあり、気体は熱解析室１７付近を通過する。異物が熱解析室１７に入ることを防止するために、熱解析室１７はろ過網１３で限定される。気体中のサンプル又は物質は熱解析室１７に入ることができる。本実施例において、前記半透過膜１５は解析空間を限定し、外方導気腔９内のサンプルは半透過膜１５を通して解析空間内に入ることができ、かつ、サンプルの採集・導入装置はサンプルキャリアガス管３５とサンプル出口３１とをさらに含み、サンプルキャリアガス管３５によりキャリアガスを導入して解析後のサンプルと混合させ、サンプル出口３１から導出する。半透過膜は、サンプルの混合される気体が半透過膜に接触して半透過膜とサンプルとの接触面積を増加するように、支持網１６に支持されて筒形又は多層膜のゲート形を形成するように配置される。図１に示す支持網１６に支持される半透過膜の構造は筒形である。別の実施例において、支持網は多層構造であり、各層の支持網に半透過膜が設けられ、多層半透過膜のゲート形構造を形成し、サンプルの混合される気体が多層半透過膜を通過し、半透過膜とサンプルとの接触面積を増加する。半透過膜１５は多孔膜であり、サンプル中に吸入される水分子、アンモニア分子、及び他の異物の通過を阻止し、後段の分析部品に保護作用を有し、分子クラスターの形成を抑制して解析度を向上できる。図１に示す実施例において、円周形半透過膜１５の設計を用いるため、半透過膜１５とサンプルとの接触面積を増加して、サンプル分子に対する効果的な富化を実現し、後段の機器の感度への設計要求を低下させることができる。
【００２９】
前記充気腔８の側壁下端に排気管２７が設けられ、前記外方導気腔９内の気体は排気管２７を介して排出されるとともに、エアポンプ２９により充気腔８に改めて送られサイクルする。本発明の実施例によると、外方導気腔９内から排出される気体はリサイクルすることができ、ホットガスの利用効率を向上させ、エネルギー消費を低下させるだけでなく、一部のサンプルが再びサイクルして採集・解析されるため、サンプルの検出精度を向上させる。かつ、サイクルはサンプルの環境への汚染を減少することができる。
【００３０】
本実施例において、外腔体７は保温層２０で囲まれ、外腔体７内には、外腔体７を所望の温度に制御するようにヒータが設けられる。
【００３１】
なお、既知の痕跡量物質に対するサンプル採集・導入器の多くは、被検目標に付着した沸点の高いサンプルを効果的に採集できないので、高沸点物質を検出できないことになる。外腔体７は比較的に高い温度又は予定の温度を有し、外腔体７の充気腔８を通過した気体は昇温されるため、竜巻及び複数の気体噴射口３６が噴射する気体は熱気流であり、高沸点物質を吹き取ることに有利である。本発明の実施例において、熱気流によって被検目標に噴射して衝突することで、その表面の顆粒サンプルが叩かれるため、本発明は物質の沸点範囲に対する選択性のより広く、効果的なサンプル採集・導入器であり、高沸点性質を有する麻薬及び爆発物に対する安全検査に特に有用である。
【００３２】
以下、図１に示すサンプルの採集・導入装置を詳細に説明する。なお、本発明の実施例は図１に示す構造に限定されるものではなく、当業者は図１に示す構造に基づいて補正や変形を行うことで他の構造を取得することができる。
【００３３】
図１に示すように、例えば痕跡量物質に対するサンプルの採集・導入装置は以下の機能部分を含むことができる。
【００３４】
噴射衝突部は、ホーン状内方カバー２の円周に設けられる複数の気体噴射口３６と、外腔体７に設けられる充気腔８とを含む。
【００３５】
竜巻発生部は、充填気流がサイクロンを形成するように、外腔体７に設けられる気体充填管２５、渦巻管２６、充気腔８を含み、かつ、前記サイクロンが拡大して竜巻を形成するように、外方カバー１とホーン状内方カバー２とがネスティングして形成されるサイクロン腔３、及び外方カバー１上の吸気孔３２を含む。
【００３６】
サンプル吸収部は、サンプルを吸着するための竜巻中心のサンプル吸引口４と、導流部とを含み、前記導流部は、ホーン状内方カバー２及び内方導気筒５で形成される内方導気腔６と、中空の外腔体７及び底蓋１０で形成される外方導気腔９とを含み、顆粒サンプルを案内して単分子に分散させる。
【００３７】
解析部は、外方導気腔９内に設けられる熱解析室１７及び半透過膜１５と、熱解析室１７底部のサンプル導入管３０及びサンプルキャリアガス管３５とを含み、分散されるサンプル分子を富化・解析してからサンプル出口３１から下流検出器に入らせる。
【００３８】
温度制御部は加熱棒１８、温度センサ１９及び保温ジャケット２０からなる。
【００３９】
ホーン状内方カバー２は外腔体７の上円周にあるとともに、Ｏリング２１で封止され、ホーン状内方カバー２円周には気体噴射口３６が一回り設けられ、気体噴射口３６と充気腔８は連通する。底蓋１０はＯリング２３で外腔体７の下開口を封止し、ホーン状内方カバー２の縮口端は内方導気筒５内にネスティングされて内方導気腔６を形成し、解析室１７の頂蓋１１は内方導気筒５の下端にネスティングされ、Ｏリング２２で封止され、解析室底蓋１４は底蓋１０を通してＯリング２４で封止される。
【００４０】
外方カバー１下円周は外腔体７の上端円周上にネスティングされる。充気腔８側壁中部には気体充填管２５が設けられ、充気腔８側壁上端円周に複数の渦巻管２６が均一的に設けられ、図２に示す渦巻管２６の軸線は外腔体７の側壁に大体に接し、渦巻管２６の軸線と縦方向とのなす角は４５°〜９０°にあり、通過した気流がサイクロンを形成することに有利である。充気腔８側壁下端には排気管２７を有する。エアポンプ２９は気体充填管２５により充気腔８に充気し、充気腔８は比較的に大きな気流を渦巻管２６から排出してサイクロンを形成し、サイクロンはサイクロン腔３内において回転し、外部気流はサイクロンにより吸気孔３２を介してサイクロン腔３内に持ち込まれて、拡大されて竜巻を形成する。充気腔８は比較的に小さな気流を気体噴射口３６から排出して被検目標３３に噴射し、強い熱気流衝突力は被検目標３３表面に付着した顆粒サンプルを叩き取ることができる。竜巻サイクロン中心負圧の吸引力及び下流エアポンプ２９の引出し力の作用で、叩き取った顆粒サンプルをサンプル吸引口４内に吸い込み、そして前記内方導気腔６に導入することができる。
【００４１】
外腔体７に設けられる加熱装置１８、温度センサ１９、保温ジャケット２０は外腔体の温度を制御できる。内方導気筒５を所定の高温に設定することにより、吸入される顆粒サンプルは内方導気腔６を経ながら単分子に分散し、そして外方導気腔９に入り、外方導気腔９内でサンプル分子は網状の解析筒１２を通過して解析室１７に入り、気化されていない異物はろ過網１３によって解析室１７外にせき止められる。
【００４２】
解析室１７内には、支持網１６によって支持固定される円筒形半透過膜１５が設けられる。半透過膜１５は吸入物質中の水分子、アンモニア分子などの他の異物が分析計に入ることをせき止めるとともに、クラスター分子の形成を抑制して機器の解析度を向上できる。解析室１７に入ったサンプル分子は半透過膜１５上に富化するとともに、高温下で半透過膜１５を通過する。空気はエアポンプ３４によりフィルタ２８に打ち込まれ、清潔・濾過後、サンプルキャリアガス管３５を介して熱解析室１７に入り、半透過膜１５を透過したサンプル分子はキャリアガスとともに、サンプル導入管３０を介して下流検出器に入る。同時にサンプル吸引口４から入った気流は排気管２７により排出され、三方弁３７を介してエアポンプ２９に入り、エアポンプ２９の作用で気体充填管２５に再び入り、サイクルされる。また、エアポンプ２９は三方弁３７の他方の貫通孔により外部から清潔空気を吸収して気体充填管２５に入らせることで、竜巻を発生させるための風量を補足する。本発明は、沸点範囲に対する選択性のより広く、迅速、効果的で富化作用を有するサンプルの採集・導入器を実現する。
【００４３】
本発明の全体的構想による一部の実施例は既に表示や説明されているが、当業者であれば理解できるように、本発明の全体的構想の原則と精神から逸脱しない限り、これら実施例を変更することができ、本発明の範囲は、請求の範囲及びその同等物によって限定される。
【符号の説明】
【００４４】
１  円筒形外方カバー、２  内方カバー、３  サイクロン腔、４  サンプル吸引口、５  内方導気筒、６  内方導気腔、７  外腔体、８  充気腔、９  外方導気腔、１３  ろ過網、１５  半透過膜、１６  支持網、１７  熱解析室、２０  保温層、２６  渦巻管、２７  排気管、２９  ポンプ、３１  サンプル出口、３２  吸気孔、３５  サンプルキャリアガス管、３６  気体噴射口
【図１】
2018109629.tif 000003
【図２】
2018109629.tif 000004